(57)【要約】【課題】タチウオの集魚効果を極大化し、釣り仕掛けの損傷を防止または最小化することができるようにするタチウオ釣り用の多機能ゴムホースを提供する。【解決手段】本発明のタチウオ釣り用多機能ゴムホースは、釣り針の軸部から、針の耳に連結された針り糸の長手方向の一地点まで嵌められて結合される中空管状の第１ホース部と、前記第１ホース部の一側に固定結合される中空管状の第２ホース部と、一端部は前記第２ホース部の内部中空に挿入固定され、他端は潮流によって流動する誘導エサ部とを含んでなることを特徴とする。【選択図】図３
2017042077.tif 000002
【特許請求の範囲】
【請求項１】
タチウオ釣り用の糸付針に固定され、タチウオを集魚させるとともに前記タチウオの歯から仕掛けを保護するタチウオ釣り用多機能ゴムホースにおいて、
釣り針の軸部から、針の耳に連結された針り糸の長手方向の一地点まで嵌められて結合される中空管状の第１ホース部と、
前記第１ホース部の一側に固定結合される中空管状の第２ホース部と、
一端部は前記第２ホース部の内部中空に挿入固定され、他端は潮流によって流動する誘導エサ部とを含んでなることを特徴とする、タチウオ釣り用多機能ゴムホース。
【請求項２】
前記第１ホース部の内部中空の直径が前記針の耳の幅よりも相対的に小さく形成され、前記針の耳が前記第１ホース部の中空に締まり嵌め方式で嵌合されることを特徴とする、請求項１に記載のタチウオ釣り用多機能ゴムホース。
【請求項３】
前記第１ホース部と前記第２ホース部とが所定の成分の接着剤によって固定結合され、前記第１ホース部と前記第２ホース部との間には一定の厚さの接着層が介在されることを特徴とする、請求項１に記載のタチウオ釣り用多機能ゴムホース。
【請求項４】
前記誘導エサ部は、光の干渉現象によって立体的に輝くホログラム模様が形成されたホログラムシートと、所定の発光物質が塗布された夜光糸とを含み、
前記ホログラムシートおよび前記夜光糸は、複数本から構成され、互いにひとまとめにされた状態であることを特徴とする、請求項１に記載のタチウオ釣り用多機能ゴムホース。
【請求項５】
前記夜光糸に塗布される発光物質は蛍光増白剤であり、
前記蛍光増白剤が塗布された夜光糸は紫外線または可視光によって励起されて蛍光を発することを特徴とする、請求項４に記載のタチウオ釣り用多機能ゴムホース。
【発明の詳細な説明】
【技術分野】
【０００１】
本発明は、タチウオ釣り用多機能ゴムホースに係り、さらに詳しくは、タチウオの集魚効果を極大化し、釣り仕掛けの損傷を防止または最小化することができるようにするタチウオ釣り用多機能ゴムホースに関する。
【背景技術】
【０００２】
タチウオは、暖海性の海で表層から水深３５０ｍまで生息する魚類であって、外観が長い剣の形状をしており、「太刀魚」または「タチノウオ」とも呼ばれている。
【０００３】
このようなタチウオは、タンパク質が豊富で味が良いため、市中で人気が高く、高価な魚種として取引されており、これによりタチウオ漁業も盛んに行われている。
【０００４】
一般に、タチウオは、漁獲過程で表皮に傷を付けないために、網の代わりに釣りによって漁獲する。
【０００５】
特に、タチウオは夜行性の魚で、発光体によく誘引される魚種である。よって、糸付針のハリスにケミライトまたは発光体を取り付けてタチウオ釣りをする場合が大部分である。
【０００６】
一方、タチウオ釣りをするにあたり、タチウオが針にかかると、激しい身もだえによってハリスの縺れがひどく、鋭い歯にハリスが当たって切られることが多い。
【０００７】
このような問題を解決するために、従来は、図１に示すように、針１０を結んだハリス３０に蓄光材質のゴムホース２０を嵌めたタチウオ釣り用の糸付針が提案されたことがある。
【０００８】
前述した従来のタチウオ釣り用の糸付針は、蓄光材質のゴムホースによりタチウオを効果的に誘引することができ、針からハリスの一定地点までゴムホースが取り囲んでいるので、ハリスの縺れを防止し、かつタチウオの鋭い歯によるハリスの損傷または切断を防止する。
【０００９】
このような従来のタチウオ釣り用の糸付針は、タチウオの鋭い歯からハリスを保護するために、ゴムホースが針からハリスの長手方向におよそ５ｃｍ程度嵌められる。このような長さは、通常、タチウオが針を飲み込んだときに、くちばしの歯が及ぶハリスの範囲であって、多くの現場経験および実験から得られた結果である。
【００１０】
一方、タチウオの誘引効果を極大化し、別途のエサを釣り針に付けなくてもタチウオが釣れるようにするために、図２に示すように、釣り針１のリング２の下側に多数本のオーロラ糸５および銀糸６の上端部分をワイヤー７で巻き付けて固定し、前記オーロラ糸５と銀糸６は釣り針１の下端より少し長くぶら下げたタチウオ延縄用釣り針の構造が提案されたことがある。
【００１１】
このような従来のタチウオ延縄用釣り針の構造は、オーロラ糸５と銀糸６からなる誘導エサによってタチウオの誘引効果を極大化することができるのはもちろんのこと、別途のエサを釣り針に付けなくてもよいので、釣りの準備にかかる時間、人力およびコストの消耗を最小化することができようにする。
【００１２】
しかし、従来のタチウオ延縄用釣り針の構造はオーロラ糸と銀糸が釣り針上でワイヤーによって巻き付けられるので、タチウオの鋭い歯により損傷し易くて仕掛けの損失が頻繁に発生するという問題点がある。
【００１３】
また、釣り針上にオーロラ糸と銀糸を重ねた後、ワイヤーを巻き付けることをすべて手作業で行わなければならないので、賃金に対する負担が大きく、生産性が低下するうえ、非熟練者が作業する場合に不良率が高くなるという問題点がある。
【００１４】
そこで、上述したゴムホースが嵌められた糸付針にオーロラ糸および銀糸を固定させることができるが、実際にゴムホースが嵌められた糸付針に前記オーロラ糸および銀糸を固定させるための適当な方法がない実情である。
【００１５】
一方、釣り針にオーロラ糸および銀糸を重ねた後、ワイヤーを巻き付けた後、ゴムホースを嵌めることもできるが、この場合、熟練者であっても作業時間が長くかかって生産性が低下するという問題点がある。
【先行技術文献】
【特許文献】
【００１６】
【特許文献１】韓国公開特許第１０−２０１１−００８０７５２号公報
【特許文献２】韓国公開実用新案第２０−２０００−０００２６９０号公報
【特許文献３】韓国登録実用新案第２０−０３３８８４６号公報
【特許文献４】韓国登録実用新案第２０−０４３７４８６号公報
【発明の概要】
【発明が解決しようとする課題】
【００１７】
本発明は、前述し背景技術から導出された問題点を解決するためになされたもので、その目的は、タチウオ用釣り針に嵌められるゴムホースに誘導エサを組み合わせることにより、タチウオの鋭い歯による仕掛けの損傷を防止し且つタチウオの誘引効果を極大化することができるようにするタチウオ釣り用多機能ゴムホースを提供することにある。
【００１８】
本発明の他の目的は、タチウオ用釣り針に嵌められるゴムホースに誘導エサを簡単な方法で固定させて生産性の向上および不良率の最小化を図ることができるようにするタチウオ釣り用多機能ゴムホースを提供することにある。
【００１９】
一方、本発明の目的は上述した目的に制限されず、上述していない他の目的は以降の記載から明確に理解できるであろう。
【課題を解決するための手段】
【００２０】
上記目的は、本発明の実施形態によって、タチウオ釣り用の糸付針に固定され、タチウオを集魚させるとともに前記タチウオの歯から仕掛けを保護するタチウオ釣り用多機能ゴムホースにおいて、釣り針の軸部から、針の耳に連結された針り糸の長手方向の一地点まで嵌められて結合される中空管状の第１ホース部と、前記第１ホース部の一側に固定結合される中空管状の第２ホース部と、一端部は前記第２ホース部の内部中空に挿入固定され、他端は潮流によって流動する誘導エサ部とを含むことを特徴とするタチウオ釣り用多機能ゴムホースによって達成することができる。
【００２１】
ここで、前記第１ホース部の内部中空の直径が前記針の耳の幅よりも相対的に小さく形成され、前記針の耳が前記第１ホース部の中空に締まり嵌め方式で嵌合されることが好ましい。
【００２２】
前記第１ホース部と前記第２ホース部とは所定の成分の接着剤によって固定結合され、前記第１ホース部と前記第２ホース部との間には一定の厚さの接着層が介在されることが好ましい。
【００２３】
一方、前記誘導エサ部は、光の干渉現象によって立体的に輝くホログラム模様が形成されたホログラムシート、および所定の発光物質が塗布された夜光糸を含み、前記ホログラムシートおよび前記夜光糸は、複数本から構成され、互いにひとまとめにされた状態であることが好ましい。
【００２４】
このとき、前記夜光糸に塗布される発光物質は蛍光増白剤であることが好ましく、前記蛍光増白剤が塗布された夜光糸は紫外線または可視光によって励起されて蛍光を発することを特徴とする。
【発明の効果】
【００２５】
前述した本発明の実施形態によれば、次の効果を期待することができる。
【００２６】
第一に、ゴムホースに誘導エサを組み合わせることにより、タチウオの鋭い歯による仕掛けの損傷を防止し且つタチウオの誘引効果を極大化することができる。
【００２７】
第二に、断面８字状のゴムホースに誘導エサを簡単な方法で固定させることができるので、生産性の向上および不良率の最小化を図ることができる。
【００２８】
第三に、ホログラムシートは水深が浅くて明るい環境でタチウオの誘引効果に優れており、夜光糸は水深が深くて暗い環境でタチウオの誘引効果に優れているので、昼夜問わずいかなる水深層でも仕掛けの取替なしにタチウオの誘引効果を極大化することができる。
【００２９】
第四に、ゴムホースが断面８字状をし、誘導エサがゴムホース内に挿入固定されるので、耐久性を大きく向上させることができる。
【図面の簡単な説明】
【００３０】
【図１】従来のタチウオ釣り用糸付針を示す正面図である。
【図２】従来のタチウオ延縄用釣り針の構造を示す斜視図である。
【図３】本発明の実施形態に係るタチウオ釣り用ゴムホースが適用された一例を示す例示図である。
【図４】図３の分解図である。
【図５】本発明の実施形態に係るタチウオ釣り用ゴムホースの断面図である。
【発明を実施するための形態】
【００３１】
本発明の利点、特徴、およびそれらを達成する方法は、添付図面と共に詳細に後述される実施形態を参照すると明確になるだろう。しかし、本発明は、以下で開示する実施形態に限定されるものではなく、互いに異なる多様な形態で実現される。但し、本実施形態は、単に本発明の開示を完全たるものにし、本発明の属する技術分野における通常の知識を有する者に発明の範疇を完全に知らせるために提供されるものである。そして、本明細書で使用された用語は実施形態を説明するためのもので、本発明を制限するものではない。本明細書において、単数型は、特に言及しない限り、複数型も含む。
【００３２】
以下に添付図面を参照しながら、本発明の好適な実施形態について説明する。一方、当該技術分野における通常の知識を有する者から容易に分かる構成とそれに対する作用および効果についての図示および詳細な説明は簡略化または省略し、本発明に関連した部分を中心に詳細に説明する。
【００３３】
本発明の実施形態に係るタチウオ釣り用多機能ゴムホースは、図３および図４に示すように、釣り針１００の軸部１２０から針の耳１４０に連結された針り糸９００の長手方向の一地点まで嵌められて結合される中空管状の第１ホース部２００と、前記第１ホース部２００の一側に固定結合される中空管状の第２ホース部４００と、一端部は前記第２ホース部４００の内部中空に挿入固定され、他端は潮流によって流動する誘導エサ部６００とを含む。
【００３４】
まず、第１ホース部２００は、具体的に、前記釣り針１００に連結された針り糸９００を保護するためのもので、タチウオの鋭い歯による前記針り糸９００の損傷または切断を防止する。
【００３５】
このような第１ホース部２００は、前記針り糸９００が透けて見えるように透明色を採用することができ、このような透明色は、対象魚種であるタチウオが食いつく確率を高めることができる。通常、魚は、その活性度によってアタリの頻度が著しく異なるが、特に活性度が良くないときには疑いが多くなって、エサが付けられた釣り針の周りにオモリやサルカンなどの不自然な物体があれば食いつかない場合が多い。したがって、前記第１ホース部２００の色として、釣り糸９００が透けて見える透明色を採用すると、第１ホース部２００がタチウオの視界に入ることを最小化し、アタリ率が高くなるのである。
【００３６】
一方、前述した第１ホース部２００は、発光顔料または蛍光顔料が添加されたゴム材質で構成できる。このように構成される第１ホース部２００は、夜間の海の中で発光して夜行性のタチウオが集魚できるようにする。
【００３７】
ここで、前記第１ホース部２００の内部中空の直径αが前記針の耳１４０の幅βより相対的に小さく形成されるので、前記針の耳１４０が前記第１ホース部２００の中空に締まり嵌め方式で嵌合されることが好ましい。これにより、前記第１ホース部２００の固定を容易にするうえ、一定の大きさ以上の力で前記第１ホース部２００の位置を移動させることができるので、ユーザーの好みによる可変的な使用が可能である。
【００３８】
次に、前記第２ホース部４００は、後述する誘導エサ部６００を固定させるための手段であって、図３に示すように、前記第１ホース部２００と結合して断面８字状の形状をなす。よって、ゴムホースが二重からなる構造となるので、釣り針１００に結ばれた針り糸９００を保護するにあたり、一層向上した耐久性を期待することができ、前記第２ホース部４００に固定結合される誘導エサ部６００が前記釣り針１００の軸部１２０に対して平行に配置できるようにする。
【００３９】
ここで、第２ホース部４００は、釣り針１００に背く位置で前記第１ホース部２００に固定されるようにして、誘導エサ部６００が釣り針１００からの干渉が最小化された状態で潮流によって流動できるようにする。
【００４０】
一方、前記第１ホース部２００と前記第２ホース部４００とは所定の成分の接着剤によって固定結合され、前記第１ホース部と前記第２ホース部との間には一定の厚さの接着層３００が介在されることが好ましい。よって、前記第１ホース部２００と前記第２ホース部４００との結合力が増大するのはもちろんのこと、第１ホース部２００−接着層３００−第２ホース部４００からなる多層の構造によって耐久性が大きく向上する。
【００４１】
前記第１ホース部２００と前記第２ホース部４００は互いに高周波接合できる。このような高周波接合は、自動化が簡単であるため、生産性を向上させることができ、局部加熱によって接合部位のみ発熱するため、不要なところが加熱されないので、前記第１ホース部２００と前記第２ホース部４００が一体型にきれいに製造できる。
【００４２】
前記誘導エサ部６００は、タチウオの誘引（集魚）効果を得るためのもので、ホログラムシート６２０と夜光糸６４０が複数本から構成されて互いにひとまとめにされた状態である。
【００４３】
前記ホログラムシート６２０は、光の干渉現象によって立体的に輝くホログラム模様が形成される。ここで、ホログラムは通常のキラキラシートと呼ばれるもので、光によって反射される模様が形成されたシートであればいずれのものでも構わない。このようなホログラムシート６２０は、日光によって反射されて鮮やかな色に照らされるので、水深が浅いところや昼間における集魚効果が極大化できるようにする。それだけでなく、通常のタチウオ漁船に設置される集魚灯によって反射できるのはもちろんである。
【００４４】
前記夜光糸６４０は、所定の発光物質が塗布され、暗い所で発光する。このような夜光糸６４０は、暗い所で発光するので、水深が深いところや夜間における集魚効果が極大化できるようにする。
【００４５】
ここで、前記夜光糸６４０に塗布される発光物質は蛍光増白剤であることが好ましく、このような蛍光増白剤は紫外線または可視光によって励起されて蛍光を発するので、蓄光のために光を照らす段階が省略可能となる。つまり、前述した蛍光増白剤は、近紫外線帯の紫外線に近い領域の光（３３０〜３８０ｎｍ）を吸収して可視光線の短波長帯領域（４００〜４５０ｎｍ）の青乃至紫色光を出すもので、特に糸のような繊維などに対して親和性がある無色の染料である。
【００４６】
たとえば、夜間の場合でも、通常のタチウオ漁船には高照度の集魚灯が常に点灯しているが、このような集魚灯から海の一定の水深層まで紫外線または可視光が照射されるから、蛍光増白剤がこれに反応して蛍光を発するのである。
【００４７】
したがって、タチウオ釣りの途中で蓄光のために仕掛けに光を照らす段階が省略されるので、タチウオ釣りを行うにあたり、手間を省くとともに向上した釣果を得ることができる。
【００４８】
今まで説明した本発明の実施形態によれば、次の効果を期待することができる。
【００４９】
第一に、ゴムホースに誘導エサを組み合わせることにより、タチウオの鋭い歯による仕掛けの損傷を防止し且つタチウオの誘引効果を極大化することができる。
【００５０】
第二に、断面８字状のゴムホースに誘導エサを簡単な方法で固定させることができるので、生産性の向上および不良率の最小化を図ることができる。
【００５１】
第三に、ホログラムシートは水深が浅くて明るい環境でタチウオの誘引効果に優れており、夜光糸は水深が深くて暗い環境でタチウオの誘引効果に優れているので、昼夜問わずいかなる水深層でも仕掛けの取替なしにタチウオの誘引効果を極大化することができる。
【００５２】
第四に、ゴムホースが断面８字状をし、誘導エサがゴムホース内に挿入固定されるので、耐久性を大きく向上させることができる。
【００５３】
前述した内容は、後述する発明の請求の範囲をより容易に理解することができるように、本発明の特徴および技術的利点を多少幅広く詳述した。本発明の属する技術分野における通常の知識を有する者は、本発明の技術的思想または必須の特徴を変更することなく、他の具体的な形態で実施し得るのを理解することができるだろう。したがって、上述した実施形態は、あらゆる面で例示的なもので、限定的なものではないと理解しなければならない。本発明の範囲は前記詳細な説明よりは後述する特許請求の範囲によって定められ、特許請求の範囲およびその均等概念から導き出されるすべての変更または変形形態も本発明の範囲に含まれるものと解釈されるべきである。
【符号の説明】
【００５４】
１００    釣り針
１２０    針の軸部
１４０    針の耳
２００    第１ホース部
３００    接着層
４００    第２ホース部
６００    誘導エサ部
６２０    ホログラムシート
６４０    夜光糸
９００    針り糸
【図１】
2017042077.tif 000003
【図２】
2017042077.tif 000004
【図３】
2017042077.tif 000005
【図４】
2017042077.tif 000006
【図５】
2017042077.tif 000007
【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
タチウオ釣り用の糸付針に固定され、タチウオを集魚させるとともに前記タチウオの歯から仕掛けを保護するタチウオ釣り用多機能ゴムホースにおいて、
釣り針の軸部から、針の耳に連結された針糸の長手方向の一地点まで嵌められて結合される中空管状の第１ホース部と、
前記第１ホース部の一側面に固定結合される中空管状の第２ホース部と、
一端部は前記第２ホース部の内部中空に挿入固定され、他端は潮流によって流動する誘導エサ部とを含んでなることを特徴とする、タチウオ釣り用多機能ゴムホース。
【請求項２】
前記第１ホース部の内部中空の直径が前記針の耳の幅よりも相対的に小さく形成され、前記針の耳が前記第１ホース部の中空に締まり嵌め方式で嵌合されることを特徴とする、請求項１に記載のタチウオ釣り用多機能ゴムホース。
【請求項３】
前記第１ホース部と前記第２ホース部とが所定の成分の接着剤によって固定結合され、前記第１ホース部と前記第２ホース部との間には一定の厚さの接着層が介在されることを特徴とする、請求項１に記載のタチウオ釣り用多機能ゴムホース。
【請求項４】
前記誘導エサ部は、光の干渉現象によって立体的に輝くホログラム模様が形成されたホログラムシートと、所定の発光物質が塗布された夜光糸とを含み、
前記ホログラムシートおよび前記夜光糸は、複数本から構成され、互いにひとまとめにされた状態であることを特徴とする、請求項１に記載のタチウオ釣り用多機能ゴムホース。
【請求項５】
前記夜光糸に塗布される発光物質は蛍光増白剤であり、
前記蛍光増白剤が塗布された夜光糸は紫外線または可視光によって励起されて蛍光を発することを特徴とする、請求項４に記載のタチウオ釣り用多機能ゴムホース。
【手続補正２】
【補正対象書類名】明細書
【補正対象項目名】００２０
【補正方法】変更
【補正の内容】
【００２０】
上記目的は、本発明の実施形態によって、タチウオ釣り用の糸付針に固定され、タチウオを集魚させるとともに前記タチウオの歯から仕掛けを保護するタチウオ釣り用多機能ゴムホースにおいて、釣り針の軸部から、針の耳に連結された針糸の長手方向の一地点まで嵌められて結合される中空管状の第１ホース部と、前記第１ホース部の一側面に固定結合される中空管状の第２ホース部と、一端部は前記第２ホース部の内部中空に挿入固定され、他端は潮流によって流動する誘導エサ部とを含むことを特徴とするタチウオ釣り用多機能ゴムホースによって達成することができる。
【手続補正３】
【補正対象書類名】明細書
【補正対象項目名】００３３
【補正方法】変更
【補正の内容】
【００３３】
本発明の実施形態に係るタチウオ釣り用多機能ゴムホースは、図３および図４に示すように、釣り針１００の軸部１２０から針の耳１４０に連結された針糸９００の長手方向の一地点まで嵌められて結合される中空管状の第１ホース部２００と、前記第１ホース部２００の一側面に固定結合される中空管状の第２ホース部４００と、一端部は前記第２ホース部４００の内部中空に挿入固定され、他端は潮流によって流動する誘導エサ部６００とを含む。
【手続補正４】
【補正対象書類名】明細書
【補正対象項目名】００３４
【補正方法】変更
【補正の内容】
【００３４】
まず、第１ホース部２００は、具体的に、前記釣り針１００に連結された針糸９００を保護するためのもので、タチウオの鋭い歯による前記針糸９００の損傷または切断を防止する。
【手続補正５】
【補正対象書類名】明細書
【補正対象項目名】００３５
【補正方法】変更
【補正の内容】
【００３５】
このような第１ホース部２００は、前記針糸９００が透けて見えるように透明色を採用することができ、このような透明色は、対象魚種であるタチウオが食いつく確率を高めることができる。通常、魚は、その活性度によってアタリの頻度が著しく異なるが、特に活性度が良くないときには疑いが多くなって、エサが付けられた釣り針の周りにオモリやサルカンなどの不自然な物体があれば食いつかない場合が多い。したがって、前記第１ホース部２００の色として、針糸９００が透けて見える透明色を採用すると、第１ホース部２００がタチウオの視界に入ることを最小化し、アタリ率が高くなるのである。
【手続補正６】
【補正対象書類名】明細書
【補正対象項目名】００３８
【補正方法】変更
【補正の内容】
【００３８】
次に、前記第２ホース部４００は、後述する誘導エサ部６００を固定させるための手段であって、図３に示すように、前記第１ホース部２００と結合して断面８字状の形状をなす。よって、ゴムホースが二重からなる構造となるので、釣り針１００に結ばれた針糸９００を保護するにあたり、一層向上した耐久性を期待することができ、前記第２ホース部４００に固定結合される誘導エサ部６００が前記釣り針１００の軸部１２０に対して平行に配置できるようにする。
【手続補正７】
【補正対象書類名】明細書
【補正対象項目名】００５４
【補正方法】変更
【補正の内容】
【００５４】
１００    釣り針
１２０    針の軸部
１４０    針の耳
２００    第１ホース部
３００    接着層
４００    第２ホース部
６００    誘導エサ部
６２０    ホログラムシート
６４０    夜光糸
９００    針糸